(57)【要約】【課題】解決しようとする問題点は、携帯性を高めるために袋そのものとぬいぐるみを一体にするという点である。【解決手段】袋本体１と、この袋本体１の生地の一部をぬいぐるみの生地の一部となるぬいぐるみ部Ａを設け、さらに前記袋本体の生地とは別に残りのぬいぐるみの生地となるぬいぐるみ部Ｂを設け、前記ぬいぐるみ部Ａと前記ぬいぐるみ部Ｂを互いにぬいぐるみの外面が内側になるように重ね合わせて周囲を接続して袋部Ｃを構成するとともに、前記ぬいぐるみ部Ａとぬいぐるみ部Ｂで構成される前記袋部Ｃには、袋部Ｃを反転させて袋本体の生地をぬいぐるみの袋部Ｃにしまうとともに、ぬいぐるみの外面を表出させる開口部を設けたぬいぐるみを兼用した袋。【選択図】図１
2009202938.tif 000002
【特許請求の範囲】
【請求項１】
袋本体と、この袋本体の生地の一部にぬいぐるみの生地の一部となるぬいぐるみ部Ａを設け、さらに前記袋本体の生地とは別に残りのぬいぐるみの生地となるぬいぐるみ部Ｂを設け、前記ぬいぐるみ部Ａとぬいぐるみ部Ｂを互いにぬいぐるみの外面が内側になるように重ね合わせて周囲を接続して袋部Ｃを構成するとともに、前記ぬいぐるみ部Ａとぬいぐるみ部Ｂで構成される前記袋部Ｃには、袋部Ｃを反転させて袋本体の生地をぬいぐるみの袋部Ｃにしまうとともに、ぬいぐるみの外面を表出させる開口部を設けてなることを特徴とするぬいぐるみを兼用した袋。
【請求項２】
前記ぬいぐるみ部Ａと前記ぬいぐるみ部Ｂの少なくとも一方にぬいぐるみの外面は印刷によりぬいぐるみの柄を印刷又は、刺繍によって構成することを特徴とする前記請求項１記載のぬいぐるみを兼用した袋。
【請求項３】
前記袋部Ｃに設けられた前記開口部は、前記ぬいぐるみ部Ｂに設けられていることを特徴とする前記請求項１又は請求項２記載のぬいぐるみを兼用した袋。
【請求項４】
前記袋部Ｃに設けられた開口部は、前記ぬいぐるみ部Ａと前記ぬいぐるみ部Ｂを互いに重ね合わせて周囲を接続して前記袋部Ｃを構成する際、接続する部分を一部開放しておくことを特徴とする前記請求項１又は請求項２記載のぬいぐるみを兼用した袋。
【請求項５】
前記袋部Ｃに設けられた前記開口部には、ファスナー、ボタン、マジックテープなどの適宜な開閉機構を取り付けたことを特徴とする前記請求項１乃至請求項４記載のぬいぐるみを兼用した袋。
【発明の詳細な説明】
【技術分野】
【０００１】  本発明は、携帯に便利なぬいぐるみを兼用した袋に関するものである。
【背景技術】
【０００２】  近年、環境問題の観点から、買い物の際には、買い物をする側で買い物袋を持参する運動が推進されている。そこで携帯に便利な折りたたみ式でコンパクトに収納できるエコバッグと称される各種の袋が提案されている。【０００３】  携帯可能なバックとしては、特開平９−２０６１１７号公報で紹介されるようなバッグなどが知られている。これらのバッグは、折りたたんだ際、コンパクトになるので、便利であり、周知のものとなっている。しかし、買い物用として、これらの袋は、環境問題を強く意識していないと常に携帯するという習慣が身に付かず、買い物の際には自宅に忘れているという状況が多々発生しているという欠点があった。【０００４】  一方、小さなぬいぐるみ等を常に携帯しているということが若者を中心に流行している。しかも、ぬいぐるみを携帯するかたちは、鞄の中に携帯していたり、あるいは携帯電話のストラップやキーホルダーなど様々である。こういうぬいぐるみなどは、常に携帯するという習慣が身に付きやすく癒しにもなっている。【０００５】  そこで、発明者は、携帯に便利なように、また習慣づけやすくする方法に着目し小さな買い物袋を折りたたみ、ファスナー付きの袋型ぬいぐるみの中に収納することを試みた。しかし、単に袋を収納できるというぬいぐるみは、常に袋をストックしておかないといけないという問題点があり、買い物の際には、袋が収納されて無く、用をたせないという問題点があった。
【特許文献１】特開平９−２０６１１７号公報
【発明の開示】
【発明が解決しようとする課題】
【０００６】  解決しようとする問題点は、携帯性を高めるために袋そのものとぬいぐるみを一体にするという点である。
【課題を解決するための手段】
【０００７】  本発明のぬいぐるみを兼用した袋は、袋本体の生地の一部がぬいぐるみの生地の一部となり、また、前記袋本体の生地とは別に設けた残りのぬいぐるみの生地同士を重ねて周囲を縫い合わせるなどして接続して袋部が形成される。またさらにこの袋部を反転し、袋本体の生地を収納してぬいぐるみに変化させるようにした開口部を設けて構成されているので、ぬいぐるみと袋本体はどちらにも簡単に形を変えられるということを特徴とする。
【発明の効果】
【０００８】  本発明のぬいぐるみを兼用した袋は、袋の一部をぬいぐるみの生地にするという着想により、袋とぬいぐるみは常に一体であり、袋を携帯することが習慣化されるという利点がある。また袋に印刷や刺繍などでぬいぐるみの外面を簡単に形成でき、この袋に形成されたぬいぐるみ生地形成部分に、残りのぬいぐるみ生地となる生地を縫い合わせるだけで簡単にぬいぐるみを兼用した袋が提供できるので製造コストも低減できるという利点がある。
【発明を実施するための最良の形態】
【実施例１】
【０００９】  図１は、本発明装置の１実施例のぬいぐるみを兼用した袋１において、袋の状態の外面表面図Ｘとその袋１の断面説明図Ｙである。また、図２は、生地の一部にぬいぐるみの生地の一部であって、この袋１の内面４側に印刷によりぬいぐるみ部Ａを形成した状態の説明図である。図３は、前記袋１の生地とは別に設けた残りのぬいぐるみの生地Ｂの表と裏を示した説明図である。図４は、図２で示したぬいぐるみ部Ａの印刷面と、図３で示したぬいぐるみ部Ｂの印刷面同士を内側に重ね合わせ、周囲を縫い合わせて、袋部Ｃを形成した状態を示す説明図。図５は、図４で示した開口部１１のファスナーを開口し、袋部Ｃを反転させるともに、袋の生地を袋部Ｃに収納してぬいぐるみを完成させた状態を示す説明図である。【００１０】  まず本発明のぬいぐるみを兼用した袋は、図１及び図２に示すように袋本体１と、この袋本体１の生地の一部にぬいぐるみの生地の一部となるぬいぐるみ部Ａが袋本体の内側に印刷によって形成されている（図２）。さらに図３に示すように前記袋本体１の生地とは別に残りのぬいぐるみの生地となるぬいぐるみ部Ｂを設け、図４に示すように前記ぬいぐるみ部Ａとぬいぐるみ部Ｂを互いにぬいぐるみの外面が内側になるように重ね合わせて周囲を縫い合わせて（縫い合わせ部１５で）袋部Ｃが形成されるようになっている。また、ぬいぐるみ部Ｂには、あらかじめ、ファスナー１３で開閉できる開口部１１が設けられており、前記ぬいぐるみ部Ａとぬいぐるみ部Ｂで構成される前記袋部Ｃの開口部になり、図５に示すように、この袋部Ｃを反転させて袋本体１の生地をぬいぐるみの袋部Ｃにしまうとともに、ぬいぐるみの外面を表出させてぬいぐるみ２０の形に変身できるようになっている。【００１１】  前記ファスナー１３は、ぬいぐるみ部Ｂの表裏どちらからでも開閉できるようにリバーシブルのファスナー１３が好ましい。また、ファスナー１３のつまみは、鞄などに装着できるように鎖とその先端にリング付きのキーホルダー仕様としても良い。あるいは、携帯電話に装着出来るようにストラップ紐で構成されても良い。【００１２】  ぬいぐるみを構成するぬいぐるみ部Ａとぬいぐるみ部Ｂの少なくとも一方には、ぬいぐるみの外面となる部部にあらかじめ、ぬいぐるみの柄を印刷しておいてもよく、各種動物や乗り物、企業のマスコットなどいろいろ用途に応じ選択すればよい。さらに立体感を出すためには、刺繍又は、アップリケなどを縫いつけても良く、要は袋本体１の生地の一部がぬいぐるみの生地の一部になっていればよい。【００１３】  また、ぬいぐるみを構成するぬいぐるみ部Ａ又はＢは、立体的なものであっても良い。先ずぬいぐるみ部Ａを立体的にする場合は、「ぬいぐるみを兼用した袋」が、袋状になっているときに袋の機能を損なわない範囲で構成するのがよく、またぬいぐるみ部Ｂを立体的にする場合は、袋本体１とは、別に構成されるので比較的立体加工はしやすくなる。例えば、ぬいぐるみを「ワニ」にした場合、開口部をファスナーをワニの口にしたたてて構成してもおもしろい。上記の実施例では、ぬいぐるみはネズミを図案化したものであるが、図３や図５に示したようにぬいぐるみ部Ｂには、あらかじめ尻尾２１を設け立体感を��している。ぬいぐるみ部Ａ及びぬいぐるみ部Ｂを縫い合わせるときには、この尻尾２１を袋部Ｃ内に納めて縫い合わせるようにし、この袋部Ｃを反転してぬいぐるみに変化させるときに表出するようにすると変化があっておもしろい。【００１４】  上記実施例おいて、前記袋部Ｃに設けられた開口部１は、前記ぬいぐるみ部Ｂに設けられている実施例を示したが、前記ぬいぐるみ部Ａとぬいぐるみ部Ｂを互いに重ね合わせて周囲を接続して袋部Ｃを構成する際、接続する部分を一部開放して開口部を設けても良よい。【００１５】  さらに上記実施例において、前記袋部Ｃに設けられた開口部は、ファスナーにより開閉自在にしたが、ホックやボタン、マジックテープなどの適宜な開閉機構を取り付けてもよく、必要によって、特に開閉機構としなくてもよい。【００１６】  なお、袋本体１を構成する生地は、布地やナイロンなどの生地でも良く軽く、皺にならないような生地が好ましい。パラシュートなどの生地のような防水耐傷ナイロン繊維であれば軽くて、皺にもなりやすい。【００１７】  上記実施例において、「ぬいぐるみを兼用した袋」が、袋状になっているときにぬいぐるみ部Ａ、Ｂが袋本体１の内側に装着した状態になっているが、こうすることで、袋になっているときにぬいぐるみ部Ａ、Ｂがじゃまにならず、ぬいぐるみ部ＡとＢの周囲を縫いつけた接続部を雑に作成しても雑さが目立たない。しかし、荷物を入れないで、袋の状態からぬいぐるみに変化させるとき、簡単にするためには、ぬいぐるみ部Ａ、Ｂを袋本体の外側に装着すれば良い。この場合、ぬいぐるみ部ＡとＢの周囲を縫いつけた接続部は、雑な感じを出さないようにしておくべきである。また、袋本体１に装着するぬいぐるみ部Ａ，Ｂの取り付け位置も袋本体１の内側、外側以外に、袋本体１の角でであっても、上方であっても、適宜な位置で問題ない。
【産業上の利用可能性】
【００１８】  以上述べたように、小さなぬいぐるみ等は、常に携帯し易く、買い物の際には、買い物をする側で買い物袋を持参し易く環境問題の観点から、各企業もぬいぐるみを兼用した袋を消費者に配りやすく、産業上非常に有益なもとなる。
【図面の簡単な説明】
【００１９】
【図１】ぬいぐるみを兼用した袋の外面及び袋の断面を示した説明図。
【図２】ぬいぐるみを兼用した袋の内面のぬいぐるみ部Ａを示した説明図。
【図３】ぬいぐるみ部Ｂの表面がわと裏面側の説明図。
【図４】図２で示したぬいぐるみ部Ａにぬいぐるみ部Ｂを重ね合わせて縫い合わせた説明図。
【図５】開口部１１を開き、袋部Ｃを反転させて袋本体の生地をぬいぐるみの袋部Ｃにしまうとともに、ぬいぐるみの外面を表出させてぬいぐるみにした状態のぬいぐるみを兼用した袋の説明図。
【符号の説明】
【００２０】１    袋本体
２    袋外面
３ａ、３ｂ  ぬいぐるみ印刷部
４    袋内面
５    取手
１０  ぬいぐるみ生地
１１  開閉自在な開口部
Ａ、Ｂ    ぬいぐるみ部
１３  ファスナー
１５  縫い合わせ部
２０  ぬいぐるみ
【図１】
2009202938.tif 000003
【図２】
2009202938.tif 000004
【図３】
2009202938.tif 000005
【図４】
2009202938.tif 000006
【図５】
2009202938.tif 000007